(57)【要約】      （修正有）【課題】初心者から上級者まで広く使用可能であり、かつより高機能で安全性の高いタープテントの多角形布を提供すること。また、環境親和性の高いタープテントの多角形布を提供すること。【解決手段】タープテント１の多角形布２が、ポリエステルからなる防水透湿フィルム層を備えていることからる。また、多角形布の縁及び／又は角端部５に、先端にループを有するベルト部材６が縫製され、支柱又はロープを受け入れ可能な孔と、ベルト部材を受け入れる溝が備えられた取り外し可能な連結部材１０とを備えていることからなる。また、多角形布の縁に沿ってバイアステープが設けられており、バイアステープが設けられた縁が角端部においてロープを受け入れ可能なループを形成していることからなる。【選択図】図１
0003194321.tif 000002
【実用新案登録請求の範囲】
【請求項１】
所定の大きさを有する多角形布と、複数の支柱及び／又は複数のロープを少なくとも備えたタープテントに使用される多角形布であって、
ポリエステルからなる防水透湿フィルム層を備えていることを特徴とするタープテントの多角形布。
【請求項２】
前記防水透湿フィルム層がポリエステルのみからなることを特徴とする請求項１に記載のタープテントの多角形布。
【請求項３】
前記多角形布の基布が重量比９０％以上のポリエステルマルチフィラメントを含む織編物からなり、かつ全体のポリエステル比率が重量比５０％以上である防水透湿性素材からなることを特徴とする請求項１又は２に記載のタープテントの多角形布。
【請求項４】
前記多角形布の縁及び／又は角端部に、先端にループを有するベルト部材が設けられ、
さらに、
支柱又はロープを受け入れ可能な孔と、
前記ベルト部材を受け入れる溝が備えられた取り外し可能な連結部材とを備えたことを特徴とする請求項１から３のいずれか１項に記載のタープテントの多角形布。
【請求項５】
前記連結部材の溝が、
ベルト部材を導入するための導入部と、
導入部からの切り返し部を含んだ前記ベルト部材の保持部とから構成されていることを特徴とする請求項４に記載のタープテントの多角形布。
【請求項６】
前記多角形布の縁に沿ってバイアステープが設けられており、
前記バイアステープが設けられた縁が角端部においてロープを受け入れ可能なループを形成していることを特徴とする請求項１から３のいずれか１項に記載のタープテントの多角形布。
【請求項７】
前記ロープを受け入れ可能なループに、補強用の芯材が含まれていることを特徴とする請求項６に記載のタープテントの多角形布。
【考案の詳細な説明】
【技術分野】
【０００１】
本考案は、タープテントの多角形布に関する。
【背景技術】
【０００２】
タープテントは、主としてアウトドアにおいて、日よけや風よけを目的として設営される、広義におけるテント（天幕）の一種である。寝室を確保できる狭義のテントとは、床面を有さない点で区別されることが出来る。また、単にタープと呼ばれる場合もある。
【０００３】
タープテントは、屋根として張られる防水布の形状等に応じて、レクタングラー、ヘキサ、ウイング、カーサイドなど様々なタイプが存在する。一般的には、防水性のある多角形布（ただし、完全な多角形ではなく、縁が曲面のものが多い。）の縁又は角端部から、支柱又はロープを張ることで設営される。また、屋根部分とメッシュシートで覆われた側面で構成される、スクリーンタイプも存在する。
【０００４】
レクタングラータイプは、長方形の防水布が使用され、設営には通常支柱が６本必要となる。大人数のキャンプでも十分な居住性を確保できるが、支柱構成が多い分、設営にも慣れと時間が必要となる。
【０００５】
ヘキサタイプは、六角形の防水布が使用され、主となる２本の支柱で支え、ロープをそれぞれ対角線上になるように張って固定する。居住空間的にも、設営の手軽さという点でも、人気があるタイプである。
【０００６】
ウイングタイプは、菱形の防水布が使用され、主となる２本の支柱で支えるが、より設営に時間がかからず、美しいシルエットを有するが、居住空間的にヘキサタイプに劣る。また、カーサイドタイプはウイングタイプからのバリエーションであり、通常は布の一部を金具を使ってクルマに固定することで設営される。
【０００７】
このようにタープテントとその多角形布にはいくつかの使用形態があるが、未だ高機能なタープテントの製造業者数は限定されており、素材等の多様性が少なく、機能性・環境親和性・安全性についても改善の必要性が大きい。その一方、近年のアウトドアや山岳ブームに伴い、使用者の数は増加しレベルも多様化しており、初心者から上級者まで広く使用可能であり、かつより高機能で安全性の高いタープテントの多角形布を提供することが望まれている。さらに、アウトドアの使用と相俟って、環境親和性の高いタープテントの多角形布を提供することが望まれている。
【考案の概要】
【考案が解決しようとする課題】
【０００８】
そこで、本考案は、初心者から上級者まで広く使用可能であり、かつより高機能で安全性の高いタープテントの多角形布を提供することを目的とする。さらに、環境親和性の高いタープテントの多角形布を提供することを目的とする。
【課題を解決するための手段】
【０００９】
上記目的を達成するため、本考案のタープテントの多角形布は、
所定の大きさを有する多角形布と、複数の支柱及び／又は複数のロープを少なくとも備えたタープテントに使用される多角形布であって、ポリエステルからなる防水透湿フィルム層を備えていることからなる。
また、前記防水透湿フィルム層がポリエステルのみからなることが好適である。
また、前記多角形布の基布が重量比９０％以上のポリエステルマルチフィラメントを含む織編物からなり、かつ全体のポリエステル比率が重量比５０％以上であることを特徴とする防水透湿性素材からなることが好適である。
【００１０】
さらに、本考案においては、前記多角形布の縁及び／又は角端部に、先端にループを有するベルト部材が設けられ、支柱又はロープを受け入れ可能な孔と、前記ベルト部材を受け入れる溝が備えられた取り外し可能な連結部材とを備えていることが好適である。また、前記連結部材の溝が、前記ベルト部材を導入するための導入部と、導入部からの切り返し部を含んだベルト部材の保持部とから構成されていることが好適である。
【００１１】
さらに、本考案においては、前記多角形布の縁に沿ってバイアステープが設けられており、前記バイアステープが設けられた縁が角端部においてロープを受け入れ可能なループを形成していることが好適である。また、前記ロープを受け入れ可能なループにおいて、補強用の芯材が含まれていることが好適である。
【００１２】
従来、タープテントに使用されるタープ用防水布は、主としてターポリン又はウレタン樹脂を使用した防水布が使用されていた。しかしながら、本考案者は、従来の防水布より高機能で安全性の高い素材を鋭意研究し、その結果、衣料用素材として使用されている、ポリエステルにより構成される防水透湿フィルムを備えた防水布が、その防水性・耐久性のいずれにおいても従来より優れており、かつその環境親和性も高いことを発見し、本考案を完成させたものである。
さらに本発明者は、ロープを張る角端部について新規な構成を考案し、上記の構成とあわせて、その機能性と安全性、さらにはデザイン性をより向上させたタープテントを提供することを可能にしたものである。
【００１３】
すなわち、本考案においては、タープテントの多角形布が、ポリエステルからなる少なくとも１つの防水透湿フィルム層を備えている。ポリエステルは、ケミカル・リサイクル処理により再度ポリエステル原料として使用可能であり、何度でもリサイクル使用できるため、環境親和性が非常に高くなるものである。さらに、この利点を保持しつつ防水・透湿性に優れているため、衣料用材料として使用されているものである（例えば、特開２００７−２９６７９８）。このような素材を布生地として使用する構成により、繊維にタール等を塗り防水性を持たせた布生地や、ウレタンゴム層により防水性を持たせた布生地に比べ、防水性・透湿性・環境親和性のいずれも大きく向上するものである。このため、防水透湿フィルム層がポリエステルのみからなることがさらに好ましい。
【００１４】
また、多角形布の基布が重量比９０％以上のポリエステルマルチフィラメントを含む織編物からなり、かつ全体のポリエステル比率が重量比５０％以上であることを特徴とする防水透湿性素材からなることで、布全体の防水性・環境親和性・伸展性を向上させることが可能である。特に、伸展性が向上していると、設営が容易になり、安全性も向上するものである。
【００１５】
素材としては、特開２００７−２９６７９８に記載される衣料用素材を使用することが可能であり、当該文献によれば、防水透湿フィルムとして主にポリエーテルエステル系エラストマーからなるフィルムが用いられ、特に透湿性を有するポリエステルを主成分とする無孔質フィルムが好ましい。透湿性を確保するため、ポリエチレングリコールなどの吸湿性材料をポリエステルに共重合する方法が好適に用いられる。上記ポリエーテル−エステル系エラストマーは、長鎖エステル単位および短鎖エステル単位からなり、該短鎖エステル単位は、全ポリエーテル−エステル系エラストマーの３０〜７０重量％の範囲にあることが好ましい。ポリエーテル-エステル系エラストマーの酸成分は、テレフタル酸、イソフタル酸、フタル酸、ナフタレン−２，６−ジカルボン酸、ナフタレン−２，７−ジカルボン酸、ジフェニル−４，４'−ジカルボン酸、ジフェノキシエタンジカルボン酸、３−スルホイソフタル酸ナトリウムなどの芳香族ジカルボン酸、１，４−シクロヘキサンジカルボン酸などの脂環式ジカルボン酸、コハク酸、シュウ酸、アジピン酸、セバシン酸、ドデカンジ酸、ダイマー酸などの脂肪族ジカルボン酸、または、これらのエステル形成性誘導体から選ばれた少なくとも１種が挙げられるが、好ましくは、テレフタル酸、イソフタル酸、ナフタレン−２，６−ジカルボン酸、またはこれらのエステル形成性誘導体が例示される。このような酸成分の一部は、他のジカルボン酸成分やオキシカルボン酸成分で置換されていてもよい。なお、上記ポリマー中には、各種安定剤、紫外線吸収剤などが必要に応じて配合されていてもよい。
また、ポリエーテル−エステル系エラストマーの長鎖エステル単位のグリコール成分としては、ポリエチレングリコール、ポリ１，２−プロピレングリコール、ポリ１，３−プロピレングリコール、エチレンオキシドとプロピレンオキシドとの共重合体、エチレンオキシドとテトラヒドロフランとの共重合体などのポリアルキレングリコールのうち少なくとも１種が挙げられるが、満足できる透湿性を得るためにはポリエチレングリコールが最も好ましく例示され、その平均分子量が６００〜８,０００の範囲にあるものが好ましい。
また、ポリエーテル−エステル系エラストマーの短鎖エステル単位のグリコール成分は、エチレングリコールおよびテトラメチレングリコールからなり、該エチレングリコールおよびテトラメチレングリコール中に占めるテトラメチレングリコールのモル分率が７０モル％未満のものが好ましく使用される。
フィルムを作成する方法としては、公知の方法、例えば、インフレーション法やダイ押出し法により得た、厚さが好ましくは５〜３０μｍ、さらに好ましくは５〜２０μｍの均一なフィルムを使用するものがよい。また、上記以外に、ポリエステルとしては、例えば「主として結晶性芳香族ポリエステル単位からなるハードセグメントと、主として脂肪族ポリエーテル単位および／または脂肪族ポリエステル単位からなるソフトセグメントとを主たる構成成分とするポリエステルブロック共重合体」を使用することが可能である。得られたフィルムは、種々の方法、例えば、熱処理、ミシン掛け、あるいは、接着剤の使用により、基布となる布帛とラミネートすることができる。
【００１６】
さらに、本考案者は、上記構成に加え、多角形布の縁又は角端部に用いられる、ロープ又は支柱と連結させるために用いられる短片（テープとも呼ばれる）の構造について、従来と異なる新たな構造を提供することで、安全性を向上させることを可能にした。これまで、当該短片は多角形布の縁又は角端部に縫製された平面的な長方形の革・織物又は樹脂片などであり、グロメットなどの金具で孔を設けることでロープ等と連結可能にするものであった。しかしながら、例えばヘキサタイプやウイングタイプは、まず主となる支柱で両端を支えた後にロープ等を張ることで設営されるが、この際、残った短片が多角形布と一緒にばたついてしまい、短辺の金具部分が人にぶつかりやすく危険であった。そこで、上記の構成に組み合わせることで、安全性の高いさらに有利なタープテントを提供するものである。
【００１７】
具体的には、多角形布の角端部に、先端にループを有するベルト部材が設けられ、さらに、支柱又はロープを受け入れ可能な孔と、ベルト部材を受け入れる溝が備えられた取り外し可能な連結部材とを備えたものである。すなわち、グロメットを介さず、別途連結部材として独立させた部材を用いることで、テントの設営時の安全性を向上し、維持・交換やデザイン変更も容易にするものである。そのため、当該構成は、主となる支柱を挿入する両端部以外の各角端部に設けることが好適である。
ベルト部材は、先端にループを有するよう、例えば多角形布の表裏に縫製して全体をループ状としたり、先端のみにループをもたせる形態とするなど、適宜選択可能である。また、多角形布と一体的に形成されていても良い。さらに、連結部材の溝が、側面からベルト部材を導入するための導入部と、導入部からの切り返し部を含んだベルト部材の保持部とから構成されていることで、例えば側面から挿入したベルト部材を、しっかりと固定させることが出来る。切り返し角度や大きさは、例えば後述の実施例に記載のような形状が好ましいが、本考案の目的を達成することが出来る限り、これに限定されるものではない。連結部材の素材としては、例えばステンレスなど風雨に強いものが好ましいが、革・樹脂素材・色など、適宜選択可能であるため、使用者のデザインカスタマイズも容易である。
【００１８】
さらに、別の形態としては、多角形布の縁に沿ってバイアステープが設けられており、当該バイアステープを含んだ縁が延長し角端部においてロープを受け入れ可能なループを形成していることが好ましい。すなわち、この構成においては、短片（テープ）自体を不要とし、安全性を向上させるものである。さらに、多角形布の素材の有用性をそのまま生かすことが可能になるものである。また、当該構成も、前述の理由により主となる支柱を挿入する両端部以外の各角端部に設けることが好適である。なお、ループの強度を増すために、当該ループ内部において、補強用の芯（例えば、ロープ材など）が含まれていることが好ましい。
【考案の効果】
【００１９】
本考案の以上の構成により、初心者から上級者まで広く使用可能であり、かつより高機能で安全性の高いタープテントの多角形布を提供することが可能である。さらに、デザイン性が高く環境親和性の高いタープテントの多角形布を提供することが可能である。
【図面の簡単な説明】
【００２０】
【図１】本考案のタープテントの多角形布の１例を示す図である。
【図２】図１のタープテントのの多角形布角端部の１例を示す図である。
【図３】本考案のタープテントの多角形布の１例を示す図である
【図４】図３のタープテントのの多角形布の角端部の１例を示す図である。
【考案を実施するための形態】
【００２１】
以下、図面に従って本考案の実施の一例を説明する。図１は本考案のタープテントの多角形布の１例を示す図であり、図２は図１のタープテントの多角形布の角端部を示す図である。
【００２２】
この実施例においては、ヘキサタイプ（六角形）のタープテント１が示されている。なお、支柱及びロープは公知のものと同様であり、図示されていない。多角形布２は、ポリエステルのみからなる防水透湿フィルム層を備えており、基布が重量比９０％以上のポリエステルマルチフィラメントを含む織編物からなり、かつ全体のポリエステル比率が重量比５０％以上である、エコストーム（登録商標）により構成されている。多角形布２は複数の布生地から構成されているが、その縫製部３は、裏面にて目止めテープにより防水性を確保している。また、縁４は、バイアステープにより全体的に縁取りされている。各角端部５（ただし、主たる支柱を挿入する両端の角端部５'を除く。）には、ナイロン製のベルト部材６が縫製により設けられ、カンドメ７位置より先端はループ８を形成している。また、各角端部５は生地の消耗が激しいため、同素材を重ねて補強部９が設けられている。角端部５'には、支柱を挿入する孔を有する金具と一体化された短片１９が縫製されて多角形布２に固定されている。
【００２３】
連結部材１０は、ステンレス素材により構成され、ベルト部材６のループ８を差し込むことが出来る溝１１と、支柱又はロープを受け入れ可能な孔１２を有している。溝１１は、側面からベルト部材６のループ８を導入するための導入部１３と、導入部１３からの切り返し部１４を含んだベルト部材６の保持部１５を有している。したがって、保持部１５の長さはベルト部材６の幅とほぼ同じか若干広めであり、切り返し部１４の導入部１３に対する角度や、導入部１３の長さは、ベルト部材６が容易に外れない角度（好ましくは鋭角）であれば、図２に記載の例に限らず適宜設定可能である。連結部材１０自体のデザインも、図２に記載のものに限られず、適宜設定することが可能である。
【００２４】
図３は本考案のタープテントの多角形布の別の１例を示す図であり、図４は図３のタープテントの多角形布の角端部を示す図である。
【００２５】
この実施例においては、ウイングタイプのタープテント１が示されている。多角形布２の素材等の構成については、上述の実施例と基本的に同じである。ただし、本実施例においては、角端部５（ただし、主たる支柱を挿入する両端の角端部５'を除く。）には短辺もベルトも設けられておらず、当該バイアステープが設けられた縁４が延長して、ナイロンベルト１８を利用してロープを受け入れ可能なループ１６を形成している。従来のループには、補強用の芯材（ロープ材）１７を内部に含んでおり、十分な強度が担保されているものである。なお、角端部５'には、従来のグロメットを有する短片１９'が縫製され多角形布２に固定されている。
【００２６】
上記実施例で使用した多角形布について、耐水性・撥水性・引張強さ・伸び率の試験を行った。
試験方法
耐水度：JIS 1092:2009 7.1 耐水度試験（静水圧方）A法（低水圧法）
試験時の水温  ２２．５℃
撥水度：JIS 1092:2009 7.1 撥水度試験（スプレー試験）
試験時の水温  ２２．５℃
引張強さ及び伸び率：JIS 1096:2010 8.14.1 A法（ストリップ法）定速伸張形試験機使用
試験片の幅  50mm つかみ間隔：200mm  引っ張り速度：200mm/min
【００２７】
結果
耐水度（mm） 9230以上
撥水度        5,5,5
引張り強さ      たて方向  1000  よこ方向  814
伸び率（％）    縦方向    29.0  よこ方向  43.6
【００２８】
以上の結果は、通常耐水度（mm）が1000-2000程度である従来品とは飛躍的に向上していることを示しており、同様に撥水度・引っ張り強さ・伸び率いずれも従来品より向上しているものである。
【００２９】
本考案は、上記の実施例の具体的構成のみに限定されず、またレクタングラーやカーサイドなどを含め、様々なタイプのタープテントに広く適用可能である。
【符号の説明】
【００３０】
１  タープテント
２  多角形布
３  縫製部
４  縁
５，５'  角端部
６  ベルト部材
７  カンドメ
８  ループ
９  補強部
１０  連結部材
１１  溝
１２  孔
１３  導入部
１４  切り返し部
１５  保持部
１６  ループ
１７  芯材
１８  ナイロンベルト
１９，１９'  短片
【図１】
0003194321.tif 000003
【図２】
0003194321.tif 000004
【図３】
0003194321.tif 000005
【図４】
0003194321.tif 000006